【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
相互に無線通信が可能な外部記憶装置と無線通信装置とを備えた通信システムにおいて、
前記外部記憶装置は、
再生用データが格納された第１の記憶部と、
前記無線通信装置との間の無線通信を行う第１の無線通信インタフェースと、
前記外部記憶装置全体の制御を行う第１の制御部と
を備え、
前記無線通信装置は、
前記無線通信装置全体の制御を行う第２の制御部と、
前記外部記憶装置との間の無線通信を行う第２の無線通信インタフェースと、
前記第１及び第２の無線通信インタフェースを介して前記外部記憶装置から送信された前記再生用データが格納される第２の記憶部と、
前記第２の記憶部内にある前記再生用データを再生するデータ再生部と
を備え、
前記第１の制御部は、前記第１の記憶部内に格納された前記再生用データを前記第１の無線通信インタフェースを介して前記無線通信装置に送信する作業が終了したら、前記外部記憶装置全体の消費電力を抑制することを特徴とする通信システム。
【請求項２】
前記第１の制御部は、前記無線通信装置からの要求に基づいて前記第１の記憶部内に格納された前記再生用データを前記第１の無線通信インタフェースを介して前記無線通信装置に送信する作業が終了したら、前記第１の記憶部の消費電力を抑制する記憶部制御部を備える
ことを特徴とする請求項１記載の通信システム。
【請求項３】
前記記憶部制御部は、前記無線通信装置からの要求に基づいて前記第１の記憶部内に格納された前記再生用データを前記第１の無線通信インタフェースを介して前記無線通信装置に送信する作業が終了したら、前記第１の記憶部の動作を一時停止させることを特徴とする請求項３記載の通信システム。
【請求項４】
前記第２の制御部は、前記外部記憶装置から送信された前記再生用データを前記第２の記憶部に転送し、この第２の記憶部への転送が完了したら前記外部記憶装置に転送完了を通知する転送部を備え、
前記第１の制御部は、前記転送部からの転送完了通知に基づいて、前記外部記憶装置全体の消費電力を抑制することを特徴とする請求項１〜請求項３のいずれかに記載の通信システム。
【請求項５】
前記第１の制御部は、前記第１の無線通信インタフェースが前記無線通信装置からのアクセスを一定時間受信しないときは、前記外部記憶装置全体の消費電力を抑制することを特徴とする請求項１〜請求項３のいずれかに記載の通信システム。
【請求項６】
前記第２の制御部は、
前記第２の記憶部の空き容量を検出する容量検出部と、
前記外部記憶装置から送信される前記再生用データの大きさと、前記容量検出部により検出される前記第２の記憶部の空き容量とを比較し、前記空き容量が小さいときに、前記外部記憶装置から送信された前記再生用データを時間及びサイズの少なくとも一方に基づいて分割するファイル分割部と
を備え、
前記転送部は、前記ファイル分割部により分割された前記再生用データを前記第２の記憶部に転送する
ことを特徴とする請求項１〜請求項３のいずれかに記載の通信システム。
【請求項７】
前記ファイル分割部は、このファイル分割部により分割された前記再生用データの大きさと、前記容量検出部により検出される前記第２の記憶部の空き容量とを比較し、前記空き容量が小さいときに空き容量低下を通知し、
前記第１の制御部は、前記ファイル分割部からの空き容量低下通知に基づいて、前記外部記憶装置全体の消費電力を抑制することを特徴とする請求項６記載の通信システム。
【請求項８】
前記データ再生部は、前記ファイル分割部により前記再生用データが分割されたときは、分割された前記再生用データ単位で前記再生用データを再生し、
前記転送部は、前記データ再生部による再生が終了した、分割された前記再生用データを前記第２の記憶部から消去する
ことを特徴とする請求項７記載の通信システム。
【請求項９】
前記ファイル分割部は、前記容量検出部により検出される前記第２の記憶部の空き容量が、分割された前記再生用データの大きさ以上に増加したら前記外部記憶装置に空き容量増加を通知し、
前記第１の制御部は、前記ファイル分割部からの空き容量増加通知に基づいて、前記外部記憶装置全体の消費電力の抑制状態を解除することを特徴とする請求項８に記載の通信システム。
【請求項１０】
前記再生用データは音声及び動画の少なくとも一方を含むデータであり、
前記第２の制御部は、前記第２の記憶部の空き容量を検出する容量検出部を備え、
さらに前記第２の制御部は、前記外部記憶装置から送信される前記再生用データの大きさと、前記容量検出部により検出される前記第２の記憶部の空き容量とを比較し、前記空き容量が小さいときに、前記外部記憶装置に対してストリーミングによる前記再生用データの送信を指示する
ことを特徴とする請求項１〜請求項３のいずれかに記載の通信システム。
【請求項１１】
相互に無線通信が可能な外部記憶装置と無線通信装置とを備えた通信システムにおいて、
前記外部記憶装置は、
再生用データが格納された第１の記憶部と、
前記無線通信装置との間の無線通信を行う第１の無線通信インタフェースと、
前記外部記憶装置全体の制御を行う第１の制御部と
を備え、
前記無線通信装置は、
前記無線通信装置全体の制御を行う第２の制御部と、
前記外部記憶装置との間の無線通信を行う第２の無線通信インタフェースと、
前記第１及び第２の無線通信インタフェースを介して前記外部記憶装置から送信された前記再生用データが格納される第２の記憶部と、
前記第２の記憶部内にある前記再生用データを再生するデータ再生部と
を備え、
前記第２の制御部は、
前記第２の記憶部の空き容量を検出する容量検出部と、
前記外部記憶装置から送信される前記再生用データの大きさと、前記容量検出部により検出される前記第２の記憶部の空き容量とを比較し、前記空き容量が小さいときに空き容量低下を通知するファイル分割部と
を備え、
前記第１の制御部は、前記ファイル分割部からの空き容量低下通知に基づいて、前記外部記憶装置全体の消費電力を抑制する
ことを特徴とする通信システム。
【請求項１２】
前記ファイル分割部は、前記容量検出部により検出される前記第２の記憶部の空き容量が所定容量以上に増加したら前記外部記憶装置に空き容量増加を通知し、
前記第１の制御部は、前記ファイル分割部からの空き容量増加通知に基づいて、前記外部記憶装置全体の消費電力の抑制状態を解除することを特徴とする請求項１１に記載の通信システム。
【請求項１３】
再生用データが格納された第１の記憶部と、無線通信装置との間の無線通信を行う第１の無線通信インタフェースと、全体の制御を行う第１の制御部とを備えた外部記憶装置において、
前記第１の制御部は、前記第１の記憶部内に格納された前記再生用データを前記第１の無線通信インタフェースを介して前記無線通信装置に送信する作業が終了したら、前記外部記憶装置全体の消費電力を抑制することを特徴とする外部記憶装置。
【請求項１４】
前記第１の制御部は、前記無線通信装置からの要求に基づいて前記第１の記憶部内に格納された前記再生用データを前記第１の無線通信インタフェースを介して前記無線通信装置に送信する作業が終了したら、前記第１の記憶部の消費電力を抑制する記憶部制御部を備える
ことを特徴とする請求項１３記載の外部記憶装置。
【請求項１５】
前記第１の記憶部はＨＤＤ装置であることを特徴とする請求項１３または請求項１４に記載の外部記憶装置。
【請求項１６】
前記記憶部制御部は、前記無線通信装置からの要求に基づいて前記第１の記憶部内に格納された前記再生用データを前記第１の無線通信インタフェースを介して前記無線通信装置に送信する作業が終了したら、前記ＨＤＤ装置の動作を一時停止させることを特徴とする請求項１５記載の外部記憶装置。
【請求項１７】
前記第１の制御部は、前記外部記憶装置から送信された前記再生用データの前記無線通信装置への転送が完了したことを前記外部記憶装置から通知されたら、この転送完了通知に基づいて、前記外部記憶装置全体の消費電力を抑制することを特徴とする請求項１３〜請求項１６のいずれかに記載の外部記憶装置。
【請求項１８】
前記第１の制御部は、前記第１の無線通信インタフェースが前記無線通信装置からのアクセスを一定時間受信しないときは、前記外部記憶装置全体の消費電力を抑制することを特徴とする請求項１３〜請求項１７のいずれかに記載の外部記憶装置。
【請求項１９】
再生用データが格納された第１の記憶部と、無線通信装置との間の無線通信を行う第１の無線通信インタフェースとを備えた外部記憶装置におけるデータ送信方法であって、
前記第１の記憶部内に格納された前記再生用データを前記第１の無線通信インタフェースを介して前記無線通信装置に送信する工程と、
前記無線通信装置への再生用データ送信工程が終了したら、前記外部記憶装置全体の消費電力を抑制する工程と
を備えることを特徴とする外部記憶装置におけるデータ送信方法。
【請求項２０】
再生用データが格納された第１の記憶部と、無線通信装置との間の無線通信を行う第１の無線通信インタフェースとを備えたコンピュータにより実行されるデータ処理プログラムであって、
このデータ処理プログラムは、コンピュータにより実行されると、
前記第１の記憶部内に格納された前記再生用データを前記第１の無線通信インタフェースを介して前記無線通信装置に送信する工程と、
前記無線通信装置への再生用データ送信工程が終了したら、前記外部記憶装置全体の消費電力を抑制する工程と
を実行することを特徴とするデータ処理プログラム。
【手続補正２】
【補正対象書類名】明細書
【補正対象項目名】０００９
【補正方法】変更
【補正の内容】
【０００９】
本発明は、相互に無線通信が可能な外部記憶装置と無線通信装置とを備えた通信システムに適用される。そして、外部記憶装置に、再生用データが格納された第１の記憶部と、無線通信装置との間の無線通信を行う第１の無線通信インタフェースと、外部記憶装置全体の制御を行う第１の制御部とを設け、無線通信装置に、無線通信装置全体の制御を行う第２の制御部と、外部記憶装置との間の無線通信を行う第２の無線通信インタフェースと、第１及び第２の無線通信インタフェースを介して外部記憶装置から送信された再生用データが格納される第２の記憶部と、第２の記憶部内にある再生用データを再生するデータ再生部とを設け、第１の記憶部内に格納された再生用データを第１の無線通信インタフェースを介して無線通信装置に送信する作業が終了したら、第１の制御部が外部記憶装置全体の消費電力を抑制することにより、上述の課題の少なくとも一部を達成している。
【手続補正３】
【補正対象書類名】明細書
【補正対象項目名】００１２
【補正方法】変更
【補正の内容】
【００１２】
また、記憶部制御部は、無線通信装置からの要求に基づいて第１の記憶部内に格納された再生用データを第１の無線通信インタフェースを介して無線通信装置に送信する作業が終了したら、第１の記憶部の動作を一時停止させることが好ましい。
【手続補正４】
【補正対象書類名】明細書
【補正対象項目名】００１４
【補正方法】変更
【補正の内容】
【００１４】
さらに、第１の無線通信インタフェースが無線通信装置からのアクセスを一定時間受信しないときは、第１の制御部が外部記憶装置全体の消費電力を抑制することが好ましい。
【手続補正５】
【補正対象書類名】明細書
【補正対象項目名】００２１
【補正方法】変更
【補正の内容】
【００２１】
また、本発明は、再生用データが格納された第１の記憶部と、無線通信装置との間の無線通信を行う第１の無線通信インタフェースと、全体の制御を行う第１の制御部とを備えた外部記憶装置に適用され、そして、第１の記憶部内に格納された再生用データを第１の無線通信インタフェースを介して無線通信装置に送信する作業が終了したら、第１の制御部が外部記憶装置全体の消費電力を抑制することにより、上述の課題の少なくとも一部を達成している。
ここで、無線通信装置からの要求に基づいて第１の記憶部内に格納された再生用データを第１の無線通信インタフェースを介して無線通信装置に送信する作業が終了したら、第１の記憶部の消費電力を抑制する記憶部制御部を第１の制御部に設けることが好ましい。
また、第１の記憶部をＨＤＤ装置とすることが好ましく、この場合、記憶部制御部は、無線通信装置からの要求に基づいて第１の記憶部内に格納された再生用データを第１の無線通信インタフェースを介して無線通信装置に送信する作業が終了したら、ＨＤＤ装置の動作を一時停止させることが好ましい。
さらに、第１の制御部は、外部記憶装置から送信された再生用データの無線通信装置への転送が完了したことを外部記憶装置から通知されたら、この転送完了通知に基づいて、外部記憶装置全体の消費電力を抑制することが好ましい。
さらに、第１の無線通信インタフェースが無線通信装置からのアクセスを一定時間受信しないときは、第１の制御部が外部記憶装置全体の消費電力を抑制することが好ましい。
【手続補正６】
【補正対象書類名】明細書
【補正対象項目名】００２２
【補正方法】変更
【補正の内容】
【００２２】
また、本発明は、再生用データが格納された第１の記憶部と、無線通信装置との間の無線通信を行う第１の無線通信インタフェースとを備えた外部記憶装置におけるデータ送信方法に適用され、そして、第１の記憶部内に格納された再生用データを第１の無線通信インタフェースを介して無線通信装置に送信する工程と、無線通信装置への再生用データ送信工程が終了したら、外部記憶装置全体の消費電力を抑制する工程とを設けることにより、上述の課題の少なくとも一部を達成している。
【手続補正７】
【補正対象書類名】明細書
【補正対象項目名】００２３
【補正方法】変更
【補正の内容】
【００２３】
そして、本発明は、再生用データが格納された第１の記憶部と、無線通信装置との間の無線通信を行う第１の無線通信インタフェースとを備えたコンピュータにより実行されるデータ処理プログラムに適用され、そして、このデータ処理プログラムが、コンピュータにより実行されると、第１の記憶部内に格納された再生用データを第１の無線通信インタフェースを介して無線通信装置に送信する工程と、無線通信装置への再生用データ送信工程が終了したら、外部記憶装置全体の消費電力を抑制する工程とを実行することにより、上述の課題の少なくとも一部を達成している。
【手続補正８】
【補正対象書類名】明細書
【補正対象項目名】００２４
【補正方法】変更
【補正の内容】
【００２４】
本発明では、第１の記憶部内に格納された再生用データを第１の無線通信インタフェースを介して無線通信装置に送信する作業が終了したら、第１の制御部が外部記憶装置全体の消費電力を抑制している。従って、無線通信装置との間の通信時における外部記憶装置の省電力化を図ることが可能となる。